(57)【要約】      （修正有）【課題】セキュリティ情報の作成、変更を簡易に行え、安全性の高いセキュリティ情報管理図を提供する。【解決手段】セキュリティ管理図１００は、セキュリティ情報記載枠図領域１０と、セキュリティ情報補間文字記載枠図領域２０と、ヒント記載領域３０を有する。セキュリティ情報記載枠図領域は、セキュリティ情報を含む１文字又は複数文字を記載する為の複数のセキュリティ情報記載枠１１を有し、セキュリティ情報補間文字記載枠図領域は、複数のセキュリティ情報補間文字記載枠２１を有する。セキュリティ情報記載枠図領域が形成する外形とセキュリティ情報補間文字記載枠図領域が形成する外形とは、同一又は相似の形状である事を利用し、セキュリティ情報補間文字記載枠をヒントとして使用し、使用者のみが分かるヒントをヒント記載領域に記載する。セキュリティ情報記載枠図領域、セキュリティ情報補間文字記載枠図領は同一の紙面又は画面に表示される。【選択図】図１
2017194816.tif 000002
【特許請求の範囲】
【請求項１】
セキュリティ情報記載枠図領域と、セキュリティ情報補間文字記載枠図領域と、
ヒント記載領域を有するセキュリティ情報管理図であって、
前記セキュリティ情報記載枠図領域は、
セキュリティ情報を含む文字列の１文字又は複数文字を記載するための複数のセキュリティ情報記載枠を有し、
前記セキュリティ情報補間文字記載枠図領域は、
複数のセキュリティ情報補間文字記載枠を有し
前記セキュリティ情報記載枠図領域が形成する外形と複数の前記セキュリティ情報補間文字記載枠図領域が形成する外形とは、同一又は相似の形状であり、
前記ヒント記載領域は、
使用者のみが分かるヒントを記載する領域であり、
前記セキュリティ情報記載枠図領域と、前記セキュリティ情報補間文字記載枠図領は、
同一の紙面又は画面に表示されていること、を特徴とするセキュリティ情報管理図。
【請求項２】
前記セキュリティ情報記載枠図領域と前記セキュリティ情報補間文字記載枠図領域のそれぞれが個別に１対１で接してなる請求項１記載のセキュリティ情報管理図。
【請求項３】
前記セキュリティ情報記載枠図領域が形成する前記外形と、前記セキュリティ情報補間文字記載枠図領域が形成する前記外形は、環状構造を有する請求項１又は請求項２に記載のセキュリティ情報管理図。
【請求項４】
前記セキュリティ情報記載枠図領域と前記セキュリティ情報補間文字記載枠図領域とは、互いに異なる色又は柄で表示されている請求項１〜請求項３のいずれかに記載のセキュリティ情報管理図。
【請求項５】
前記セキュリティ情報記載枠図領域と複数の前記セキュリティ情報補間文字記載枠図領域を有している請求項１〜請求項４のいずれかに記載のセキュリティ情報管理図。
【請求項６】
前記ヒント記載領域と、前記セキュリティ情報記載枠図領域及び前記セキュリティ情報補間文字記載枠図領域とが、同一の紙面、又は、画面に表示されている請求項１〜請求項５のいずれかに記載のセキュリティ情報管理図。
【発明の詳細な説明】
【技術分野】
【０００１】
本発明は、主にインターネットや、やデジタル機器で要求されるパスワード及び、マイナンバー、金融機関カードの暗証番号のように、他人に知られる事により、使用者に危害が及ぼされる恐れのあるセキュリティ情報の管理に関する。
【背景技術】
【０００２】
近年インターネットのサイトやPCへのログイン、アプリに於いて、パスワードやIDを作る機会が非常に増えており,パスワードがなければ使用できないものもある。
パスワードは主にデジタル機器で使用するものであるので、アプリで管理するもの、又パソコンやスマートフォンに記録して置く方法がある。
又、マイナンバー制度により、重要な個人情報を管理する必要があるが、パスワードを管理する為のアプリは存在するが、マイナンバーや金融機関カードの暗証番号までを網羅できる方法はアプリでは確立されていない。
【先行技術文献】
【特許文献】
【０００３】
【特許文献１】特許出願公開番号 ２０１５−１８４１
【０００４】
【特許文献２】特許出願公開番号 ２０００−３３０９４１
【発明の概要】
【発明が解決しようとする課題】
【０００５】
現状、インターネットサイトやアプリでパスワードを必要とされるが、一つのパスワードを色々なものに使いまわす事は危険であり、また使いまわせない場合もある。
パスワードを定期的に変更すること、且つ、夫々のパスワードを作成することが安全の為有効であるが、多くのパスワードを変更し、それを全て覚えておく事は、非常に困難である。
【０００６】
マイナンバーは使用する為にはカードを持つか、番号を控えなければいけないが、カードには重要な個人情報が詰まっており、管理に注意を払う必要がある。
【０００７】
金融機関のカードの暗証番号も時期をみて変更する事が推奨されているが、あまりに度々変更してしまうと、返ってどれが現状のものか、分らなくなってくる場合もあり、増々増えて行くセキュリティ情報の管理が複雑化している。
【０００８】
現在、これら、セキュリティ情報を単にノートに記入するものもあるが、第３者に見られた場合、簡単に知られてしまう事になる。
又、紫外線に反応するインクペンで記入する方法もあるが、紫外線インクは基本的に消えている為、書いた本人も目的の場所を探す事が難しい場合があり、メモやノートと同様に第３者が紫外線ライトを使う事で、簡単に知られる事になる。
【０００９】
特許出願公開番号 ２０１５−１８４１の場合も、記入した二つを一度に見られてしまった場合は第3者の悪用される可能性は高く、セキュリティ情報その物が書かれている場合、紛失、盗み見で第３者に知られる事となる。
特許出願公開番号「２０００−３３０９４１」の様にデジタル機器で管理する方法があるが、この方法もインターネットネットを通じて流出する事象が起こっており、また、機器の盗難、盗み見により知られた場合も、本人に危害が及び安全ではない。
【００１０】
上記により、現在講じられているものは、インターネットを経由し漏えいしたり、他人の目に触れたりした場合は、役に立たないものとなってしまい、従来のセキュリティ情報管理の方法は、安全性に於いて低い。
【課題を解決するための手段】
【００１１】
セキュリティ情報記載枠図領域と、セキュリティ情報補間文字記載枠図領域と、
ヒント記載領域を有するセキュリティ情報管理図であって、
前記セキュリティ情報記載枠図領域は
セキュリティ情報を含む文字列の１文字又は複数文字を記載する為の複数のセキュリティ情報記載枠を有し、
前記セキュリティ情報補間文字記載枠図領域は、
複数のセキュリティ情報補間文字記載枠を有し
前記セキュリティ情報記載枠図領域が形成する外形と複数の前記セキュリティ情報補間文字記載枠図領域が形成する外形とは、同一又は相似の形状であり、
前記ヒント記載領域は、
使用者のみが分かるヒントを記載する領域であり、
前記セキュリティ情報記載枠図領域と、前記セキュリティ情報補間文字記載枠図領域は、同一の紙面又は画面に表示されている事、を特徴とするセキュリティ情報管理図である。
【００１２】
前記セキュリティ情報記載枠図領域と前記セキュリティ情報補間文字記載枠図領域のそれぞれが個別に１対１で接してなる請求項１記載のセキュリティ情報管理である。
【００１３】
前記セキュリティ情報記載枠図領域が形成する前記外形と、前記セキュリティ情報補間文字記載枠図領域が形成する前記外形は、環状構造を有する請求項１又は請求項２に記載のセキュリティ情報管理図である。
【００１４】
前記セキュリティ情報記載枠図領域と前記セキュリティ情報補間文字記載枠図領域とは、互いに異なる色又は柄で表示されている請求項１〜請求項３のいずれかに記載のセキュリティ情報管理図である。
【００１５】
前記セキュリティ情報記載枠図領域と複数の、前記セキュリティ情報補間文字記載枠図領域とを有している請求項１〜請求項４のいずれかに記載のセキュリティ情報管理図である。
【００１６】
前記ヒント記載領域と、前記セキュリティ情報記載枠図領域及び前記セキュリティ情報補間文字記載枠図領域とが、同一の紙面、又は、画面に表示されている請求項１〜請求項５のいずれかに記載のセキュリティ情報管理図である。
【発明の効果】
【００１７】
本願の特徴であるセキュリティ情報記載枠図領域と、セキュリティ情報補間文字記載枠図領域とが存在する事により、第３者が本セキュリティ管理図を見た場合にも、どの枠の文字がセキュリティ情報なのかが、容易に推測できないという効果がある。
【００１８】
又、セキュリティ情報記載枠と、セキュリティ情報補間文字記載枠は環状に連続する形状を特徴としている事から、どこが始点、終点なのかのかがわからず、第３者がセキュリティ情報を特定する事がさらに困難になるという効果がある。
【００１９】
前記セキュリティ情報記載枠図領域が形成する外形と前記セキュリティ情報補間文字記載枠図領域が形成する外形とは、同一又は相似の形状であるので、
前記セキュリティ情報記載枠と前記セキュリティ情報補間文字記載枠の個別の枠の位置は図形上対峙している関係を用い、前記セキュリティ情報記載枠に記載された文字の初文字の位置を確定する為に、前記セキュリティ情報補間文字記載枠の対峙した枠に記載された文字をヒントとして利用し、ヒント記載領域に本人のみが分かるヒントを記入する事により、従来わかりやすい言葉をパスワードとして使う事は危険とされているが、記入する本人の覚えやすい言葉を選んでも、安全性を高く保てる効果がある。
【００２０】
又、本願のセキュリティ情報管理図は、前記ヒント記載領域に、後日、ヒントを追加、変更する事により、前記セキュリティ情報記載枠図領域及び前記セキュリティ情報補間文字記載枠図領域に記載した文字を書き換える事なく、自動的に別のセキュリティの文字列が設定できる事となり、煩雑なパスワードの変更を簡単に行える、という効果がある。
【００２１】
前記セキュリティ情報補間文字記載枠図領域を複数にしたり、前記セキュリティ情報補間文字記載枠を色又は柄で分ける事で、セキュリティ情報の並びが複雑になり、安全性がさらに上がるという効果がある。
【００２２】
前記セキュリティ情報記載枠図領域が形成する外形と前記セキュリティ情報補間文字記載枠図領域が形成する外形と似た図形を追加する事で、セキュリティ情報管理図の枠の相対数が増え、複雑になり安全性がさらに上がるという効果がある。
【００２３】
セキュリティ情報管理図の形状により、簡易なものから、難解なものまでを設定でき、会社組織での重要なセキュリティ情報の漏えい防止にも効果がある。
【００２４】
金融機関のパスワードは３回間違えると凍結されるものもあり、一見して分る事のできない本発明は第３者の悪用防止効果がある。
【００２５】
本発明のセキュリティ情報管理図はセキュリティ情報の解読が瞬時にはできない事から、本発明のセキュリティ管理図を盗まれたり、見られた事が分かった場合に、解読までのタイムラグを使い、その間に新たに変更するという対抗手段が打てるとうい効果がある。
【００２６】
本発明は、使用者がセキュリティの文字列を書き込む仕組みとなっており、機械の操作の苦手な者にとっても扱いやすいという効果がある。
【図面の簡単な説明】
【００２７】
【図１】本発明のセキュリティ情報管理図の（実施例１）であるセキュリティ情報管理図１００を示す図である。
【図２】本発明のセキュリティ情報管理図１００のセキュリティ情報記載枠図領域１０とセキュリティ情報記載枠１１、セキュリティ情報補間文字記載枠図領域２０とセキュリティ情報補間文字記載枠２１を示す図である。
【図３】本発明のセキュリティ情報管理図１００のセキュリティ情報記載枠図領域１０と、セキュリティ情報記載枠１１、セキュリティ情報補間文字記載枠図領域２０とセキュリティ情報補間文字記載枠２１を示す図である。
【図４】本発明のセキュリティ情報管理図の（実施例２）であるセキュリティ情報記載枠図領域１１０とセキュリティ情報記載枠１１１、セキュリティ情報補間文字記載枠図領域１２０とセキュリティ情報補間文字記載枠１２１を示す図である。
【図５】本発明のセキュリティ情報管理図の（実施例３）であるセキュリティ情報記載枠図領域２１０とセキュリティ情報記載枠２１１、２１２、２１３、セキュリティ情報補間文字記載枠図領域２２０とセキュリティ情報補間文字記載枠２２１、２２２、２２３を示す図である。
【図６】本発明のセキュリティ情報管理図の（実施例４）であるセキュリティ情報記載枠図領域３１０とセキュリティ情報記載枠３１１、セキュリティ情報補間文字記載枠図領域３２０とセキュリティ情報補間文字記載枠３２１を示す図である。
【図７】本発明のセキュリティ情報管理図の（実施例５）であるセキュリティ情報記載枠図領域４１０とセキュリティ情報記載枠４１１、第１セキュリティ情報補間文字記載枠図領域４２０、第２セキュリティ情報補間文字記載枠図領域４３０と第１セキュリティ情報補間文字記載枠４２１、第２セキュリティ情報補間文字記載枠４３１を示す図である。
【図８】本発明のセキュリティ情報管理図の（実施例６）であるセキュリティ情報記載枠図領域５１０とセキュリティ情報記載枠５１１、第１セキュリティ情報補間文字記載枠図領域５２０、第２セキュリティ情報補間文字記載枠図領域５３０と第１セキュリティ情報補間文字記載枠５２１、第２セキュリティ情報補間文字記載枠５３１を示す図である。
【図９】本発明のセキュリティ情報管理図の（実施例７）であるセキュリティ情報記載枠図領域６１０とセキュリティ情報記載枠６１１、セキュリティ情報補間文字記載枠図領域６２０とセキュリティ情報補間文字記載枠６２１を示す図である。
【図１０】本発明のセキュリティ情報管理図の（実施例８）である。実施例４の図６を複数配地しセキュリティ情報記載枠図領域３１０a、３１０ｂ、セキュリティ情報記載枠３１１a、３１１ｂとし、セキュリティ情報補間文字記載枠図領域３２０a、３２０ｂ、セキュリティ情報補間文字記載枠３２１a、３２１ｂとする図であり、枠外にセキュリティ情報記載枠図領域３１０a、３１０ｂと相似の領域７００、セキュリティ情報補間文字記載枠図領域３２０a、３２０ｂと相似の領域８００、ヒント記載枠３０a,３０bを配置した図である。
【発明を実施するための形態】
【００２８】
以下、本願セキュリティ情報管理図の実施の形態を図１〜図１０に基づいて説明する。
【実施例１】
【００２９】
図１の実施例１のセキュリティ情報管理図１００について説明する。
【００３０】
図１のセキュリティ情報管理図１００はセキュリティ情報記載枠図領域１０と、セキュリティ情報補間文字記載枠図領域２０と、
ヒント記載領域３０を有するセキュリティ情報管理図であって、
前記セキュリティ情報記載枠図領域１０は、
セキュリティ情報を含む文字列の１文字又は複数文字を記載する為の複数のセキュリティ情報記載枠１１を有し、
前記セキュリティ情報補間文字記載枠図領域２０は、
複数のセキュリティ情報補間文字記載枠２１を有し
前記セキュリティ情報記載枠図領域１０が形成する外形と複数の前記セキュリティ情報補間文字記載枠図領域２０が形成する外形とは、同一又は相似の形状であり、
前記ヒント記載領域３０は、使用者のみが分かるヒントを記載する領域であり、
前記セキュリティ情報記載枠図領域１０と、前記セキュリティ情報補間文字記載枠図領
２０は、同一の紙面又は画面に表示されている事、を特徴とするセキュリティ情報管理図である。
【００３１】
前記セキュリティ情報記載枠図領域１０が形成する外形は六角形状である。
又、前記セキュリティ情報補間文字記載枠図領域２０が形成する外形も、六角形状である。
つまり、前記セキュリティ情報記載枠図領域１０と前記セキュリティ情報補間文字記載枠図領域２０とは、同一又は相似の形状であり、同数の枠を有している事を利用し、
セキュリティ情報記載枠１１に記載されたセキュリティ情報文字の初文字の位置を確定する為にセキュリティ情報記載枠１１と対峙しているセキュリティ情報補間文字記載枠２１の枠の文字をヒントとし使用する。
【００３２】
次に、図１のセキュリティ情報管理図１００の使用方法を、図２を用いて説明する。
図２では図１のヒント記載領域３０の記載を省略し、セキュリティ情報記載枠図領域１０、セキュリティ情報補間文字記載枠図領域２０のみを記載している。
【００３３】
図２では、使用者は、パスワード「ab5cdefg」を管理するものとしている。
【００３４】
手順１．
図２中、使用者はセキュリティ情報記載枠図領域１０のセキュリティ情報記載枠１１にパスワードを１文字づつ記入する。セキュリティ情報記載枠１１に記入する時は、任意の位置から任意の方向へ記入していく。
【００３５】
図２では、使用者は、セキュリティ情報記載枠図領域１０の右上部に位置するセキュリティ情報記載枠１１の任意の枠をパスワードの初文字とし書き始め、初文字の枠から右回りに、パスワードを1文字づつ記入していく。
【００３６】
尚、セキュリティ情報記載枠１１、にパスワードを1文字ずつ記入する時は、隣接するセキュリティ情報記載枠１１にパスワード文字を連続して記述する必要はなく、使用するパスワードの文字列の間に任意の文字または数字を入れ込んでセキュリティ情報記載枠へ記入するようにしてもよい。
【００３７】
図２においては、パスワードの１文字目「a」を記載したセキュリティ情報記載枠１１から右回りに７番目に位置するセキュリティ情報記載枠１１にパスワードとして使用しない文字「６」を入れ込んでいる。
使用者が、パスワードを全てセキュリティ情報記載枠１１に記載した段階で、セキュリティ情報記載枠１１が余っている場合には、余ったセキュリティ情報記載枠１１に適当な文字又は数字を記入。
図２においては、「６」、「３」、「ｈ」、「i」がパスワード以外の文字としている。
【００３８】
手順２.
次に、使用者は、セキュリティ情報補間文字記載枠図領域２１に適当な文字又は
数字を記入する。図２では、使用者は、数字「１」〜「１２」を使用している。
【００３９】
手順３．
使用者は、使用者のみが分かるヒントをヒント記載領域３０（図１．参照）に記入する。
【００４０】
図２では、使用者は、以下のようにヒントを作成し記入している。
使用者は、本願セキュリティ情報管理図の特徴を用い、ヒントにはセキュリティ情報記載枠１１に記載された文字を直接使用せず、パスワードの先頭英文字「a」を記載したセキュリティ情報記載枠１１と対峙しているセキュリティ情報補間文字記載枠２１に記載されている数字「３」をヒントして用い、「３から」、
パスワードを右回りに記入したので、右を表す英単語「right」、
パスワードの文字数「８」文字とし、
パスワードの中に使用している数字は「５のみ」を用いるので、
例えば、ヒントを「３からrightの８文字、数字５のみ」とする。
【００４１】
使用者は，作成したヒントをヒント記載領域３０に記入しておく。
尚、使用者は、使用者本人がわかりやすいようにヒントを作成すれば良い。
【００４２】
手順４．
次に、本願セキュリティ情報管理図の１００を用いて、一旦記載されたパスワードを後日、ヒント記載領域３０に記載されているヒントからパスワードを見出す方法を説明する。
【００４３】
ヒント記載枠３０に「３からrightの８文字、数字５のみ」と記載されているヒントを元に、図２に書かれている文字と数字の内のパスワードを限定していく。
【００４４】
ヒント記載枠３０のヒントの初めに「３から」と記載されており、
図２のセキュリティ情報記載枠１１とセキュリティ情報補間文字記載枠２１とが対峙している事を利用してヒントを記載しているので、セキュリティ情報補間文字枠２１の「３」と対峙したセキュリティ情報記載枠１１に記載されている文字は「a」であり、
パスワードは「a」から始まる。
【００４５】
次に「a」から始まり、続いて行く方向においては、ヒント記載枠３０には右を表す英単語「right」とあり、右回りに順に続く事となり、
セキュリティ情報記載枠１１の「a」から順に右回りは
「ｂ」「５」「ｃ」「ｄ」「e」「6」「f」「3」「g」「ｈ」「i」と続くが、
文字数は「８」文字であり、
使用する数字は「５」のみなので、
「６」と「３」を省いたセキュリティ情報記載枠１１の「a」から右回りの８文字は
「ab5cdefg」となり、使用者が最初に決めたパスワードとなる。
【００４６】
尚、図２の場合、セキュリティ情報記載枠図領域にも「３」があり、第三者がヒントを見た場合でも、セキュリティ情報補間文字記載枠図領域に記載されている「３」からなのか、セキュリティ情報記載枠図領域に記載されている「３」から始まるのかが分からず、そもそもパスワードは数字の「３」から始まっていないので、第三者には容易に解読ができない。
【００４７】
本願セキュリティ情報管理図の特徴であるセキュリティ情報記載枠図領域とセキュリティ情報補間文字記載枠図領域が存在する事により、容易に解読できない仕組みとなっている。
【００４８】
手順５．
図２のセキュリティ情報記載枠図領域１０、セキュリティ情報補間文字記載枠図領域２０に記載した文字を変更せずそのまま用い、新たなパスワードを作成する方法を、図３を用いて説明する。
尚、図３では図１のヒント記載領域３０は省略している。
【００４９】
使用者はヒント記載領域３０に、変更するパスワードの初文字を決定し、変更後のヒントを記載する。
【００５０】
図３のセキュリティ情報記載枠１１の「ｃ」から始まる事とするので、「ｃ」と対峙したセキュリティ情報補間文字記載枠２１の文字に記載されている「６」を用い、
ヒントは「６から」、
次に、右回と決定し「right」、
パスワードの文字数は「１０」文字とし、
使用する数字は「６」のみと決定。
よって図３の変更されたヒントは
「６からのrightの１０文字、数字６のみ」とする。
【００５１】
図３を用い、このヒントによりパスワードを確定する。
セキュリティ情報補間文字記載枠図領域２０に記載に記載されている文字「６」と対峙しているセキュリティ情報記載枠図領域１０の文字は「ｃ」、
「ｃ」から右回りに文字は、
「ｄ」「e」「6」「f」「3」「g」「h」「i」「a」「ｂ」「５」と続く。
使用する数字は「６」のみなので、この内「３」を除き、「ｃ」からの１０文字である新しいパスワードは「cde6fghiab」となる。
【００５２】
同様の方法で、ヒント記載枠３０にヒントを追記する事で、更に新規のパスワードを生成する事が可能である。
【実施例２】
【００５３】
本願セキュリティ情報管理図の実施例２の使用方法を図４を用いて説明する。
【００５４】
図４のセキュリティ情報管理図は、セキュリティ情報記載枠図領域１１０と、
セキュリティ情報補間文字記載枠図領域１２０を有しており、
前記セキュリティ情報記載枠図領域１１０はセキュリティ情報を含む文字列の１文字又は複数文字を記載する為の白色の複数のセキュリティ情報記載枠１１１を有し、
前記セキュリティ情報補間文字記載枠図領域１２０は、グレーの色の付いた
複数のセキュリティ情報補間文字記載枠１２１を有している。
尚、図４では図１のヒント記載領域３０は省略している。
【００５５】
セキュリティ情報記載枠図領域１１０とセキュリティ情報補間文字記載枠図領域１２０は接しておらず、セキュリティ情報記載枠図領域１１０が形成する外形は八角形である。
又、セキュリティ情報補間文字記載枠図領域２２０が形成する外形も八角形である。
【００５６】
つまり、セキュリティ情報記載枠図領域１１０とセキュリティ情報補間文字記載枠図領域１２０とは同一又は相似の形状であり、同数の枠を有している事を利用し、
セキュリティ情報記載枠１１１に記載されたセキュリティ情報文字の初文字の位置を確定する為にセキュリティ情報記載枠１１１と対峙しているセキュリティ情報補間文字記載枠１２１の枠をヒントとし使用する。
【００５７】
図４では、使用者は、マイナンバー「１２３４５６１２３４５６」を管理するものとしている。
【００５８】
手順５．
図４中、使用者はセキュリティ情報記載枠図領域１１０のセキュリティ情報記載枠１１１にマイナンバーを１文字づつ記入する。セキュリティ情報記載枠１１１に記入する時は、任意の位置から任意の方向へ記入していく。
【００５９】
図４では、使用者は、セキュリティ情報記載枠図領域１１０の上部左に位置するセキュリティ情報記載枠１１１にマイナンバーの初文字を書き始め、初文字の枠から右回りに、マイナンバーを1文字づつ記入していく。
【００６０】
尚、図４においては、使用者がマイナンバーの１文字目の「１」を記載したセキュリティ情報記載枠１１１から、全てセキュリティ情報記載枠１１１に記載した段階で、セキュリティ情報記載枠１１１が余っている場合には、余ったセキュリティ情報記載枠１１１に適当な数字を記入。
図４においては、「７」「８」「９」「０」を記載している。
【００６１】
手順２．
次に、使用者は、セキュリティ情報補間文字記載枠図領域１２０に適当な文字又は数字を記入する。図４では、使用者は、アルファベット「a」〜「p」を使用している。
【００６２】
手順３．
使用者は、使用者のみが分かるヒントをヒント記載領域３０（図１．参照）に記入する。
【００６３】
図４では、使用者は、以下のようにヒントを作成し記入している。
使用者は、本願セキュリティ情報管理図の特徴を用い、ヒントにはセキュリティ情報記載枠１１１に記載された文字を直接使用せず、マイナンバーの先頭文字「１」を記載したセキュリティ情報記載枠１１１と対峙しているセキュリティ情報補間文字記載枠１２１に記入されている文字「ｃ」をヒントして用いる事とするが、この場合、「ｃ」をそのまま用いず、「ｃ」から始まる言葉「ＣＡＴ」を用い、
「ＣＡＴ」を日本語で「ネコ」として用いる。
マイナンバーを右回りに記入したので「右」とし、
例えば、ヒントを「ネコからの右」とする。
【００６４】
使用者は，作成したヒントをヒント記載領域３０に記入しておく。
尚、使用者は、使用者本人がわかりやすいようにヒントを作成すれば良い。
【００６５】
手順４．
次に、図４のセキュリティ情報管理図を用いて、一旦記載したマイナンバーを後日、ヒント記載領域３０に記載されているヒントからマイナンバーを見出す方法を説明する。
【００６６】
前記、ヒント記載枠３０に「ネコからの右」と記載されているヒントを元に、図４に書かれている文字と数字の内のマイナンバーを限定していく。
【００６７】
ヒント記載枠３０のヒントの初めに「ネコ」と記載されており、
「ネコは英語でＣＡＴ」であり、「ＣＡＴ」の頭文字は「Ｃ」である。
図４のセキュリティ情報記載枠１１１とセキュリティ情報補間文字記載枠１２１とが対峙している事を利用してヒントを記載しているので、
セキュリティ情報補間文字枠１２１の「Ｃ」と対峙したセキュリティ情報記載枠１１１に記載されている文字は「１」であり、
マイナンバーは「１」から始まる。
【００６８】
次に「１」から始まり、続いて行く方向においては、ヒント記載枠３０には「右」とあり、右回りに順に続く事となり、セキュリティ情報記載枠１１１の「１」から順に１２ケタの右回りは
「１２３４５６１２３４５６」となり、
使用者が最初に書いたマイナンバーとなる。
【００６９】
尚、実施例２の図４では、セキュリティ情報記載枠図領域１１０には数字のみ、セキュリティ情報補間文字記載枠図領域１２０にはアルファベットのみを使用しているが、数字、アルファベットを混ぜて使用する事で、本願セキュリティ情報管理図の特徴である特定が容易に解読できない仕組みとなる。
【００７０】
手順５．
使用者は、前記、実施例１の手順５.と同様の方法で、ヒント記載領域３０（図１．参照）にヒントを追記する事で、図４のセキュリティ情報記載枠図領域１１０、セキュリティ情報補間文字記載枠図領域１２０に記載した文字を変更せず、そのまま用い、更に新規のパスワードを生成する事が可能である。
【実施例３】
【００７１】
本願実施例３のセキュリティ情報管理図の使用方法を図５を用いて説明する。
【００７２】
図５のセキュリティ情報管理図は、セキュリティ情報記載枠図領域２１０と、
セキュリティ情報補間文字記載枠図領域２２０を有しており、
前記セキュリティ情報記載枠図領域２１０はセキュリティ情報を含む文字列の１文字又は複数文字を記載する為の白色の複数のセキュリティ情報記載枠２１１を有し、
前記セキュリティ情報補間文字記載枠図領域２２０は、グレーの色の付いた
複数のセキュリティ情報記載枠２２１を有している。
尚、図５では図１のヒント記載領域３０は省略している。
【００７３】
図５のセキュリティ情報記載枠図領域２１０が形成する外形とセキュリティ情報補間文字記載枠図領域２２０が形成する外形は相似であり、同数の枠を有している事を利用し、
セキュリティ情報記載枠２１１に記載された、セキュリティ情報文字の初文字の位置を確定する為にセキュリティ情報記載枠２１１と対峙しているセキュリティ情報補間文字記載枠１２１の枠をヒントとし使用する。
【００７４】
又、図５ではセキュリティ情報記載枠図領域２１０とセキュリティ情報補間文字記載枠図領域２２０は線上であるので、
セキュリティ情報記載枠２１０の右端の枠を２１２、左端の枠を２１３とし、
右端の枠２１２から左端の枠２１３へ循環して文字が続くものとして記入。
セキュリティ情報補間文字記載枠図領域２２０も右端の枠を２２２、左端の枠を２２３とし、右端の枠２２２から左端の枠２２３へと循環して文字が続くものとする。
【００７５】
図５では、使用者は、パスワード「orange83」を管理するものとしている。
【００７６】
手順１．
図５中、使用者は、セキュリティ情報記載枠図領域２１０のセキュリティ情報記載枠２１１にパスワードを１文字づつ記入する。セキュリティ情報記載枠２１１に記入する時は、任意の位置から任意の方向へ記入していく。
【００７７】
図５では、使用者は、セキュリティ情報記載枠図領域２１０の左から５番目に位置するセキュリティ情報記載枠２１１の枠をパスワードの初文字とし書き始め、初文字の枠から右へと順にパスワードを1文字づつ記入していき、セキュリティ情報記載枠２１２まで来た時、セキュリティ情報記載枠２１３へと戻りパスワードの続きを記載していく。
【００７８】
尚、セキュリティ情報記載枠２１１にパスワードを1文字ずつ記入する時は、隣接するセキュリティ情報記載枠２１１にパスワード文字を連続して記述する必要はなく、使用するパスワードの文字列の間に任意の文字または数字を入れ込んでセキュリティ情報記載枠へ記入するようにしてもよく、セキュリティ情報記載枠２１１が余った場合は適当な文字又は数字を記入。
【００７９】
図５においては、セキュリティ情報記載枠図領域２１０の左から５番目のセキュリティ情報記載枠２１１にパスワードの初文字「Ｏ」を記入し、右方向へ記入していくが、
パスワードの初文字「Ｏ」を１番目とした時、２番目と５番目と７番目のセキュリティ情報記載枠２１１にパスワードとして使用しない「５」「７」「２」を入れ込んでいる。
【００８０】
セキュリティ情報記載枠２１１に文字を記入していき、セキュリティ情報記載枠２１１の右端２１２まで来た時は、セキュリティ情報記載枠２１１の左端２１３へと循環し、使用者が、パスワードを全てセキュリティ情報記載枠２１１に記載した段階で、セキュリティ情報記載枠２１１が余っている場合には、余ったセキュリティ情報記載枠２１１に適当な文字又は数字を記入。
図５においては、「５」「７」「２」と「a」が使用しない文字となる。 
【００８１】
手順２．
次に、使用者は、セキュリティ情報補間文字記載枠図領域２２０に適当な文字又は数字を記入する。図５では、使用者は、数字「１」〜「１２」を使用している。
【００８２】
手順３．
使用者は、使用者のみが分かるヒントをヒント記載領域３０（図１．参照）に記入する。
図５では、使用者は、以下のようにヒントを作成し記入している。
使用者は、本願セキュリティ情報管理図の特徴を用い、
ヒントにはセキュリティ情報記載枠２１１に記載された文字を直接使用せず、パスワードの先頭英文字「Ｏ」を記入したセキュリティ情報記載枠２１１と、対峙しているセキュリティ情報補間文字記載枠２２１の５番目の枠に記載された数字の５を用い、「５から」、
パスワードを右方向に記入していったので、右を表す英単語「right」、
パスワードの文字数「８」、
パスワードの中に使用している数字「８」「３」のみを用いるので、
例えば、ヒントを
「５からrightの８文字、数字８３のみ」とする。
【００８３】
使用者は，作成したヒントをヒント記載領域３０に記載しておく。
尚、使用者は、使用者本人がわかりやすいようにヒントを作成すれば良い。
【００８４】
手順４．
次に、図５のセキュリティ情報管理図を用いて一旦決定したパスワードを後日、ヒント記載領域３０に記載されているヒントからパスワードを見出す方法を説明する。
尚、図５では図１のヒント記載領域３０は省略している。
【００８５】
前記、ヒント記載枠３０に「５からrightの８文字、数字８３のみ」と
記載されているヒントを元に、図５に書かれている文字と数字の内のパスワードを限定していく。
【００８６】
ヒント記載枠３０のヒントに「５から」と記載されており、図５のセキュリティ情報記載枠２１１とセキュリティ情報補間文字記載枠２２１とが対峙している事を利用してヒントを記載しているので、セキュリティ情報補間文字記載枠２２１の「５」と対峙したセキュリティ情報記載枠２１１に記載されている文字は「Ｏ」であり、
パスワードは「Ｏ」から始まる。
【００８７】
次に、「Ｏ」から始まり、続いて行く方向においては、ヒント記載枠３０には右を表す英単語「right」とあり、右方向へ順に続く事となり、
セキュリティ情報記載枠２１１の「Ｏ」から順に右方向へは
「５」「ｒ」「a 」「７」「ｎ」「２」「ｇ」と続くが、セキュリティ情報記載枠２１２まで来たときにセキュリティ情報記載枠２１３へと循環し「e」「８」「3」「a」と続く
文字数は「８」であり、
使用する数字は「８」と「３」のみなので、
「５」と「７」と「２」を省いた「Ｏ」から右回りの８文字は
「orange83」となり、
使用者が最初に決めたパスワードとなる。
【００８８】
手順５．
使用者は前記、実施例１の手順５.と同様の方法で、ヒント記載領域３０（図１．参照）にヒントを追記する事で、図５のセキュリティ情報記載枠図領域２１０、セキュリティ情報補間文字記載枠図領域２２０に記載した文字を変更せずそのまま用い、更に新規のパスワードを生成する事が可能である。
【実施例４】
【００８９】
本願セキュリティ情報管理図の実施例４の使用方法を図６を用いて説明する。
【００９０】
図６のセキュリティ情報管理図は、セキュリティ情報記載枠図領域３１０と、
セキュリティ情報補間文字記載枠図領域３２０を有しており、
前記セキュリティ情報記載枠図領域３１０はセキュリティ情報を含む文字列の１文字又は複数文字を記載する為の白色の複数のセキュリティ情報記載枠３１１を有し、
前記セキュリティ情報補間文字記載枠図領域３２０は、グレーの色の付いた
複数のセキュリティ情報記載枠３２１を有している。
尚、図５では図１のヒント記載領域３０は省略している。
【００９１】
図６のセキュリティ情報記載枠図領域３１０が形成する外形と、セキュリティ情報補間文字記載枠図領域３２０が形成する外形は相似であり、同数の枠を有している事を利用し、ヒントを作成し使用する。
【００９２】
尚、図６では、セキュリティ情報記載枠図領域３１０とセキュリティ情報補間文字記載枠図領域３２０とを、異なる色により領域を識別しており、セキュリティ情報記載枠３１１とセキュリティ情報補間文字記載枠３２１とは交互に配置されている
【００９３】
図６では、使用者は、パスワード「orange83」を管理するものとしている。
【００９４】
手順１．
図６中、使用者は、セキュリティ情報記載枠図領域３１０のセキュリティ情報記載枠３１１にパスワードを１文字づつ記入する。セキュリティ情報記載枠３１１に記入する時は、任意の位置から任意の方向へ記入していく。
【００９５】
図６では、使用者は、セキュリティ情報記載枠図領域３１０の上部右に位置する
セキュリティ情報記載枠３１１の枠をパスワードの初文字とし書き始め、初文字の枠から右回りに、パスワードを1文字づつ記入していく。
【００９６】
セキュリティ情報記載枠３１１にパスワードを1文字ずつ記入する時は、
隣接するセキュリティ情報記載枠３１１にパスワード文字を連続して記入する必要はなく、使用するパスワードの文字列の間に任意の文字または数字を入れ込んでセキュリティ情報記載枠へ記入するようにしてもよく、セキュリティ情報記載枠３１１が余った場合は適当な文字又は数字を記入。
【００９７】
図６においては、パスワードの１文字目「Ｏ」を記載したセキュリティ情報記載枠３１１から右回りに２番目に位置するセキュリティ情報記載枠３１１にパスワードとして使用しない文字「６」を入れ込んで記入。
使用者が、パスワードを全てセキュリティ情報記載枠３１１に記載した段階で、セキュリティ情報記載枠３１１が余っている場合には、余ったセキュリティ情報記載枠３１１に適当な文字又は数字を記入。
図６においては既に入れている「６」と「ｐ」「ｌ」「e」がパスワード以外の文字としている。
【００９８】
手順２．
次にグレーの色のついたセキュリティ情報補間文字記載枠３２１の枠に適当な文字又は数字を記入。図６では数字「１」〜「１２」を使用している。
【００９９】
手順３．
使用者は、使用者のみが分かるヒントをヒント記載領域３０（図１．参照）に記入する。
【０１００】
図６において使用者は、以下のようにヒントを作成し記入している。
使用者は、本願セキュリティ情報管理図の特徴を用い、ヒントにはセキュリティ情報記載枠３１１に記載された文字を直接使用せず、パスワードの先頭英文字「Ｏ」を記載したセキュリティ情報記載枠３１１の枠と、対峙しているセキュリティ情報補間文字記載枠３２１の枠に記載された数字の「２」をヒントして用い、「２から」
パスワードを右回りに記入したので、右を表す英単語「right」、
パスワードの文字数「８」文字とし、
パスワードの中に使用している数字「８」「３」を用いるので、
例えば、ヒントを
「２からのrightの８文字、数字８３」とする。
【０１０１】
使用者は，作成したヒントをヒント記載領域３０に記載しておく。
尚、使用者は、使用者本人がわかりやすいようにヒントを作成すれば良い。
【０１０２】
手順４．
次に、図６のセキュリティ情報管理図を用いて、一旦決定したパスワードを後日、ヒント記載領域３０に既に記載されている文字からパスワードを見出す方法を説明する。
尚、図６では図１のヒント記載領域３０は省略している。
【０１０３】
前記、ヒント記載枠３０に「２からのrightの８文字、数字８３のみ」と記載されているヒントを元に、図６に書かれている文字と数字の内のパスワードを限定していく。
【０１０４】
ヒント記載枠３０のヒントに「２から」と記載されており、図６のセキュリティ情報記載枠３１１とセキュリティ情報補間文字記載枠３２１とが対峙している事を利用してヒントを記載しているので、セキュリティ情報補間文字記載枠３２１の「２」と対峙したセキュリティ情報記載枠３１１に記載されている文字は「Ｏ」であり、
パスワードは「Ｏ」から始まる。
【０１０５】
次に「Ｏ」から続いて行く方向においては、ヒント記載枠３０には右を表す英単語「right」とあり、右方向へ順に続く事となり、
セキュリティ情報記載枠３１１の「Ｏ」から順に右方向へは
「６」「ｒ」「a」「ｎ」「ｇ」「e」「８」「３」「p」「l」「e」と続く。
パスワードの文字数は「８」文字、
使用する数字は「８」「３」のみで、「６」は使わないので、
パスワードは「orange83」となる。
尚、図６はセキュリティ情報記載枠３１１と、セキュリティ情報補間文字記載枠３２１が交互に配置されている事により、パスワードの解読が更に複雑となる。
【０１０６】
手順５．
使用者は、前記、実施例１の手順５.と同様の方法で、ヒント記載領域３０（図１．参照）にヒントを追記する事で、図６のセキュリティ情報記載枠図領域３１０、セキュリティ情報補間文字記載枠図領域３２０に記載した文字を変更せず、そのまま用い、更に新規のパスワードを生成する事が可能である。
【実施例５】
【０１０７】
本願セキュリティ情報管理図の実施例５の使用方法を図７を用いて説明する。
【０１０８】
図７のセキュリティ情報管理図は、セキュリティ情報記載枠図領域４１０と、
第１セキュリティ情報補間文字記載枠図領域４２０と
第２セキュリティ情報補間文字記載枠図領域４３０を有しており、
前記セキュリティ情報記載枠図領域４１０はセキュリティ情報を含む文字列の１文字又は複数文字を記載する為の白色の複数のセキュリティ情報記載枠４１１を有し
前記第１セキュリティ情報補間文字記載枠図領域４２０は濃いグレーの色の付いた複数の第１セキュリティ情報補間文字記載枠４２１を有している。
前記第２セキュリティ情報補間文字記載枠図領域４３０は薄いグレーの色の付いた複数の第２セキュリティ情報補間文字記載枠４２１を有している。
尚、図５では図１のヒント記載領域３０は省略している。
【０１０９】
図７のセキュリティ情報記載枠図領域４１０が形成する外形と、第１セキュリティ情報補間文字記載枠図領域４２０、第２セキュリティ情報補間文字記載枠図領域４３０が形成する外形は相似である事を利用し、ヒントを作成し使用する。
【０１１０】
図７では、セキュリティ情報記載枠図領域４１０と第１セキュリティ情報補間文字記載枠図領域４２０を濃いグレー、第２セキュリティ情報補間文字記載枠図領域４３０薄いグレーとし、異なる色により領域を識別している事で、セキュリティ情報の特定がより複雑になる。
【０１１１】
図７では、使用者は、パスワード「orange83」を管理するものとしている。
【０１１２】
手順１．
図７中、使用者は、セキュリティ情報記載枠図領域４１０のセキュリティ情報記載枠４１１にパスワードを１文字づつ記入する。セキュリティ情報記載枠４１１に記入する時は、任意の位置から任意の方向へ記入していく。
【０１１３】
図７では、使用者は、セキュリティ情報記載枠図領域４１０の上部中央に位置するセキュリティ情報記載枠４１１の枠をパスワードの初文字とし書き始め、初文字の枠から右回りに、パスワードを1文字づつ記入していく。
【０１１４】
尚、セキュリティ情報記載枠４１１にパスワードを1文字ずつ記入する時は、隣接するセキュリティ情報記載枠４１１にパスワード文字を連続して記入する必要はなく、使用するパスワードの文字列の間に任意の文字または数字を入れ込んでセキュリティ情報記載枠へ記入するようにしてもよい。
【０１１５】
図７においては、パスワードの１文字目「Ｏ」を記載したセキュリティ情報記載枠４１１から右回りに２番目に位置するセキュリティ情報記載枠４１１にパスワードとして使用してない文字「６」を入れ込んでいる。
使用者が、パスワードを全てセキュリティ情報記載枠４１１に記載した段階で、セキュリティ情報記載枠４１１が余っている場合には、余ったセキュリティ情報記載枠１１に適当な文字又は数字を記入。
図７においては、「６」と「a」「ｐ」「ｐ」「ｌ」「e」がパスワード以外の文字としている。
【０１１６】
手順２．
次に、濃いグレー色の第１セキュリティ情報補間文字記載枠４２１、
薄いグレー第２セキュリティ情報補間文字記載枠４３１の枠に適当な文字又は数字を記入。
図６では濃いグレー色の第１セキュリティ情報補間文字記載枠４２１に
「３」「ｄ」「ｚ」「１」「ｔ」「ｖ」「ｃ」「a」「7」「a」「k」「e」「1」「j」,
薄いグレー色の第２セキュリティ情報補間文字記載枠４３１に
「ｇ」「ｒ」「a」「p」「３」「ｊ」「u」「i」「c」「e」「4」「j」「a」「m」,
使用している。
【０１１７】
手順３．
使用者は、使用者のみが分かるヒントをヒント記載領域３０（図１．参照）に記入する。
【０１１８】
図7にでは、使用者は、以下のようにヒントを作成し記入している。
使用者は、本願セキュリティ情報管理図の特徴を用い、ヒントにはセキュリティ情報記載枠４１１の文字を直接使用せず、パスワードの先頭英文字「Ｏ」を記入したセキュリティ情報記載枠４１１の枠と、対峙している第１セキュリティ情報補間文字記載枠２１枠に記載された文字の「３」と
第２セキュリティ情報補間文字記載枠４３１の枠に記載された文字の「ｇ」を
ヒントして用い、「３とｇから」
パスワードを右回りに記入したので、右を表す英単語「right」、
パスワードの文字数「８」文字、
パスワードの中に使用している数字は「８」「３」を用いるので、
例えば、ヒントを「３とｇからのrightの８文字、数字８３のみ」とする。
【０１１９】
使用者は，作成したヒントをヒント記載領域３０に記載しておく。
尚、使用者は、使用者本人がわかりやすいようにヒントを作成すれば良い。
【０１２０】
手順４．
次に、図７のセキュリティ情報管理図を用いて、一旦決定したパスワードを後日、ヒント記載領域３０に既に記載されている文字からパスワードを見出す方法を説明する。
尚、図７では図１のヒント記載領域３０は省略している。
【０１２１】
前記ヒント記載枠３０に「３とｇからのrightの８文字、数字８３のみ」と記載されているヒントを元に、図２に書かれている文字と数字の内のパスワードを限定していく。
【０１２２】
ヒント記載枠３０のヒントの初めに「３とｇから」と記載されており、
図７のセキュリティ情報記載枠１１とセキュリティ情報補間文字記載枠２１とが対峙している事を利用してヒントを記載しているので、
図７の第１セキュリティ情報補間文字記載枠４２１の枠に記載された文字の「３」、
第２セキュリティ情報補間文字記載枠４３１の枠に記載された文字の「ｇ」とに対峙している文字は「Ｏ」であり、パスワードは「Ｏ」から始まる。
【０１２３】
「Ｏ」から始まり、続いて行く方向においては、ヒント記載枠３０には右を表す英単語「right」とあるので、右回りに順に続く事となり、
セキュリティ情報記載枠４１１の「a」から順に右回りは
「６」「ｒ」「a」「ｎ」「ｇ」「e」「８」「３」「a」「p」「p」「l」「e」と続く。
文字数は「８」であり、
使用している数字は「８」「３」のみを用い、「６」は使わないので、
セキュリティ情報記載枠１１の「Ｏ」から右回りの８文字は
「orange83」となり、使用者が最初に決めたパスワードとなる。
【０１２４】
尚、図７では本願セキュリティ情報管理図の特徴である、セキュリティ情報記載枠図領域と複数のセキュリティ情報補間文字記載枠図領域が存在する事により、容易に解読できない仕組みとなっている。
【０１２５】
手順５．
使用者は、前記、実施例１の手順５.と同様の方法で、ヒント記載領域３０（図１．参照）にヒントを追記する事で、図７のセキュリティ情報記載枠図領域４１０、
濃いグレー色の第１セキュリティ情報補間文字記載枠図領域４２０、
薄いグレー第２セキュリティ情報補間文字記載枠図領域４３０の枠に記載した文字を変更せず、そのまま用い、更に新規のパスワードを生成する事が可能である。
【実施例６】
【０１２６】
本願セキュリティ情報管理図の実施例６の使用方法を図８を用いて説明する。
【０１２７】
図８のセキュリティ情報管理図は、セキュリティ情報記載枠図領域５１０と、
第１セキュリティ情報補間文字記載枠図領域５２０と
第２セキュリティ情報補間文字記載枠図領域５３０を有するセキュリティ情報管理図であって、
前記セキュリティ情報記載枠図領域５１０は、セキュリティ情報を含む文字列の１文字又は複数文字を記載する為の白色の複数のセキュリティ情報記載枠５１１を有し
前記第１セキュリティ情報補間文字記載枠図領域５２０は濃いグレーの色の付いた複数の第１セキュリティ情報補間文字記載枠５２１を有している。
第２セキュリティ情報補間文字記載枠図領域５３０は薄いグレーの色の付いた複数の
第２セキュリティ情報補間文字記載枠５３１を有している。
尚、図８では図１のヒント記載領域３０は省略している。
【０１２８】
図８のセキュリティ情報記載枠図領域５１０が形成する外形と、第１セキュリティ情報補間文字記載枠図領域５２０、第２セキュリティ情報補間文字記載枠図領域５３０が形成する外形は相似であるが、
セキュリティ情報記載枠５１１と第１セキュリティ情報補間文字記載枠５２１、第２セキュリティ情報補間文字記載枠５３１とは同数ではない事を特徴とするセキュリティ情報管理図である。
【０１２９】
図８では、セキュリティ情報記載枠５１１と、接している第１セキュリティ情報補間文字記載枠５２１と第２セキュリティ情報補間文字記載枠５３１の枠をヒントとして使用し、パスワードの初文字の枠を確定する事とする。
【０１３０】
図８では、使用者は、パスワード「orange83」を管理するものとしている。
【０１３１】
手順１．
図８中、使用者は、セキュリティ情報記載枠図領域５１０のセキュリティ情報記載枠５１１にパスワードを１文字づつ記入する。セキュリティ情報記載枠５１１に記入する時は、任意の位置から任意の方向へ記入していく。
【０１３２】
図８では、使用者は、セキュリティ情報記載枠図領域５１０の上部中央右に位置するセキュリティ情報記載枠５１１の枠をパスワードの初文字とし書き始め、初文字の枠から右回りに、パスワードを1文字づつ記入していく。
【０１３３】
尚、セキュリティ情報記載枠５１１にパスワードを1文字ずつ記入する時は、隣接するセキュリティ情報記載枠５１１にパスワード文字を連続して記入する必要はなく、使用するパスワードの文字列の間に任意の文字または数字を入れ込んでセキュリティ情報記載枠へ記入するようにしてもよい。
【０１３４】
図８においては、パスワードの１文字目「Ｏ」を記載したセキュリティ情報記載枠５１１から右回りに２番目に位置するセキュリティ情報記載枠５１１にパスワードとして使用してない文字「６」を入れ込んでいる。
【０１３５】
使用者が、パスワードを全てセキュリティ情報記載枠５１１に記載した段階で、セキュリティ情報記載枠５１１が余っている場合には、余ったセキュリティ情報記載枠５１１に適当な文字又は数字を記入。
図８においては、既に入れている「６」と「a」「ｐ」「ｐ」「ｌ」「e」「ｊ」「a」「ｍ」「５」がパスワード以外の文字としている。
【０１３６】
手順２．
次に、濃いグレーの色の付いた第１セキュリティ情報補間文字記載枠５２１の枠と薄いグレーの色の付いた第２セキュリティ情報補間文字記載枠５３１の枠に適当な文字又は数字を記入。
図８では、第１セキュリティ情報補間文字記載枠５２１の枠には、
「a」「b」「c」「d」「e」「４」「ｇ」「ｋ」「ｌ」「ｍ」「ｎ」「２」を使用。
第２セキュリティ情報補間文字記載枠５３１の枠には、
「ｊ」「u」「i」「c」「e」「４」「０」「７」「ｓ」「ｔ」「ｒ」「a」「ｗ」「ｂ」「e」「ｒ」「ｒ」「ｙ」「ｇ」「ｒ」「a」「ｐ」「e」「３」を使用している。
【０１３７】
手順３．
使用者は、使用者のみが分かるヒントをヒント記載領域３０（図１．参照）に記入する。
【０１３８】
図６においては使用者は、以下のようにヒントを作成し記入している。
【０１３９】
使用者は、本願セキュリティ情報管理図の特徴を用い、セキュリティ情報記載枠５１１の文字を直接使用せず、パスワード初文字「Ｏ」を確定する為に、「Ｏ」と接している、
第１セキュリティ情報補間文字記載枠５２１記載されている文字「ｊ」「u」と、
第２セキュリティ情報補間文字記載枠５３１に記載されている文字「ｂ」「ｃ」をヒントとして用いる。
パスワードを右回りに記入したので、右を表す英単語「right」、
パスワードの文字数「８」文字とし、
パスワードの中に使用している数字「８」「３」を用いるので、
例えば、ヒントを「ｊuとbｃからのrightの８文字、数字８３のみ」とする。
【０１４０】
使用者は，作成したヒントをヒント記載領域３０に記載しておく。
尚、使用者は、使用者本人がわかりやすいようにヒントを作成すれば良い。
【０１４１】
手順４．
次に、図８のセキュリティ情報管理図を用いて、一旦決定したパスワードを後日、ヒント記載領域３０に既に記載されている文字からパスワードを見出す方法を説明する。
尚、図８では図１のヒント記載領域３０は省略している。
【０１４２】
前記、ヒント記載枠３０に「ｊuとbｃからのrightの８文字、数字８３のみ」と記載されているヒントを元に、図２に書かれている文字と数字の内のパスワードを限定していく。
【０１４３】
図８の第１セキュリティ情報補間文字記載枠５２１に記載されている「ｂ」「ｃ」の位置を特定し、第２セキュリティ情報補間文字記載枠５３１に記載されている「ｊ」「u」の位置も特定する。「ｂ」「ｃ」と「ｊ」「u」に全て接しているセキュリティ情報記載枠５１１の文字は「Ｏ」であり、
パスワードは、「Ｏ」から始まる。
【０１４４】
次に「Ｏ」から始まり、続いて行く方向においては、ヒント記載枠３０には右を表す英単語「right」とあり、右回りに順に続く事となり、
セキュリティ情報記載枠５１１の「Ｏ」から順に右回りは
「６」「ｒ」「a」「ｎ」「ｇ」「e」「８」「３」「a」「ｐ」「ｐ」「ｌ」「e」「ｊ」「a」「ｍ」「５」と続くが、
パスワードの文字数は「８」文字であり、
使用している数字は「８」「３」のみを用い、「６」は使わないので、
パスワードは「orange83」  
となり、使用者が最初に決めたパスワードとなる。
【０１４５】
尚、図８では、セキュリティ情報記載枠図領域５１０と第１セキュリティ情報補間文字記載枠図領域５２０を濃いグレー、第２セキュリティ情報補間文字記載枠図領域５３０を薄いグレーとし、
異なる色により領域を識別しており、複数のセキュリティ情報補間文字記載枠図領域が存在する事で、本願セキュリティ情報管理図の特徴である特定が容易に解読できない仕組みが更に複雑となる。
【０１４６】
手順５．
使用者は、前記、実施例１の手順５.と同様の方法で、ヒント記載領域３０（図１．参照）にヒントを追記する事で、図８のセキュリティ情報記載枠図領域５１０、
第１セキュリティ情報補間文字記載枠図領域５２０、
第２セキュリティ情報補間文字記載枠図領域５３０に記載した文字を変更せず、そのまま用い、更に新規のパスワードを生成する事が可能である。
【実施例７】
【０１４７】
本願セキュリティ情報管理図の実施例７の使用方法を図８を用いて説明する。
【０１４８】
図９のセキュリティ情報管理図は、セキュリティ情報記載枠図領域６１０と、
セキュリティ情報補間文字記載枠図領域６２０を有しており、
セキュリティ情報記載枠図領域６１０はセキュリティ情報を含む文字列の１文字又は複数文字を記載する為の白色のセキュリティ情報記載枠６１１を有し
セキュリティ情報補間文字記載枠図領域６２０は薄いグレーの色の付いた複数の
セキュリティ情報補間文字記載枠６２１を有している。
尚、図９では図１のヒント記載領域３０は省略している。
【０１４９】
図９のセキュリティ情報記載枠図領域６１０が形成する外形はハート型である。
セキュリティ情報補間文字記載枠図領域６２０が形成する外形もハート型である。
つまり、セキュリティ情報記載枠図領域６１０が形成するとセキュリティ情報補間文字記載枠図領域６２０が形成する外形は相似であり、セキュリティ情報記載枠６１１と
セキュリティ情報補間文字記載枠６２１は同数である事を特徴とするセキュリティ情報管理図である。
【０１５０】
セキュリティ情報記載枠６１１に記載されたセキュリティ情報文字の初文字の位置を確定する為に、セキュリティ情報記載枠６１１と接しているセキュリティ情報補間文字記載枠６２１の枠をヒントとし使用する。
【０１５１】
図９では、使用者は、パスワード「orange83」を管理するものとしている。
【０１５２】
手順１．
図９中、使用者は、セキュリティ情報記載枠図領域６１０のセキュリティ情報記載枠６１１にパスワードを１文字づつ記入する。セキュリティ情報記載枠６１１に記入する時は、任意の位置から任意の方向へ記入していく。
【０１５３】
図９では、使用者は、セキュリティ情報記載枠図領域６１０の上部中央から右側に２番目に位置するセキュリティ情報記載枠６１１の枠をパスワードの初文字とし書き始め、初文字の枠から右回りに、パスワードを1文字づつ記入していく。
【０１５４】
尚、セキュリティ情報記載枠６１１にパスワードを1文字ずつ記入する時は、隣接するセキュリティ情報記載枠６１１にパスワード文字を連続して記入する必要はなく、使用するパスワードの文字列の間に任意の文字または数字を入れ込んでセキュリティ情報記載枠へ記入するようにしてもよい。
【０１５５】
使用者が、パスワードを全てセキュリティ情報記載枠６１１に記載した段階で、セキュリティ情報記載枠６１１が余っている場合には、余ったセキュリティ情報記載枠６１１に適当な文字又は数字を記入。
図９においては、パスワードの１文字目「Ｏ」を記載したセキュリティ情報記載枠６１１から右回りに２番目に位置するセキュリティ情報記載枠６１１にパスワードとして使用してない文字「６」を入れ込んでパスワードを記入。
余ったセキュリティ情報記載枠６１１には既に記入されている「６」と「a」「ｐ」「５」がパスワード以外の文字としている。。
【０１５６】
手順２．
次に、使用者は、薄いグレーの色の付いたセキュリティ情報補間文字記載枠６２１の枠に適当な文字又は数字を記入。
図９では使用者は、数字「１」〜「１２」を使用している。
【０１５７】
手順３．
使用者は、使用者のみが分かるヒントをヒント記載領域３０（図１．参照）に記入する。
【０１５８】
図９においては使用者は、以下のようにヒントを作成し記入している。
使用者は、本願セキュリティ情報管理図の特徴を用い、ヒントにはセキュリティ情報記載枠６１１の文字を直接使用せず、パスワードの先頭英文字「Ｏ」を記入したセキュリティ情報記載枠６１１の枠を挟んでいるセキュリティ情報補間文字記載枠４２１枠に記載された文字の「２」と「３」をヒントして用い、「２と３から」
パスワードを右回りに記入したので、右を表す英単語「right」、
パスワードの文字数「８」文字とし、
パスワードの中に使用している数字「８」「３」を用いるので、
例えば、ヒントを「２と３からのrightの８文字、数字８３のみ」とする。
【０１５９】
使用者は，作成したヒントをヒント記載領域３０に記載しておく。
尚、使用者は、使用者本人がわかりやすいようにヒントを作成すれば良い。
【０１６０】
手順４．
次に、図７のセキュリティ情報管理図を用いて、一旦決定したパスワードを後日、ヒント記載領域３０に既に記載されている文字からパスワードを見出す方法は、前記、実施例１〜実施例６の手順４.と同様の方法で、ヒント記載領域に記載されているヒントを元に見つける事ができる。
【０１６１】
手順５．
使用者は、前記、実施例１の手順５.と同様の方法で、ヒント記載領域３０（図１．参照）にヒントを追記する事で、図９のセキュリティ情報記載枠図領域６１０、
グレー色のセキュリティ情報補間文字記載枠図領域６２０、
に記載した文字を変更せず、そのまま用い、更に新規のパスワードを生成する事が可能である。
【実施例８】
【０１６２】
本願セキュリティ情報管理図の実施例８の使用方法を図１０を用いて説明する。
【０１６３】
図１０のセキュリティ情報管理図は実施例４の図６を複数配地し、セキュリティ情報記載枠図領域を３１０a、３１０ｂ、セキュリティ情報記載枠３１１a、３１１ｂ、
グレーの色の付いたセキュリティ情報補間文字記載枠図領域を３２０a、３２０ｂ、セキュリティ情報補間文字記載枠３２１a、３２１ｂとして有している。
また、前記セキュリティ情報記載枠図領域３１０a、３１０ｂ、前記グレーの色の付いたセキュリティ情報補間文字記載枠図領域３２０a、３２０ｂの枠外に
セキュリティ情報記載枠図領域３１０a、３１０ｂと相似の形状の領域７００、
グレーの色の付いたセキュリティ情報補間文字記載枠図領域３２０a、３２０ｂと相似の形状の領域８００を有しており、ヒント記載枠３０a,３０bを有している。
【０１６４】
図１０の使用方法は実施例４と同じ方法で管理する事ができ、複数のセキュリティ情報を1つの紙面または、画面に於いて管理できるものとした管理図である。
【０１６５】
また、図１０では、セキュリティ情報記載枠図領域３１０a、３１０ｂとセキュリティ情報補間文字記載枠図領域３２０a、３２０ｂの枠外に、
前記、セキュリティ情報記載枠図領域３１０a、３１０ｂと相似の形状の領域７００と
前記、グレーの色の付いたセキュリティ情報補間文字記載枠図領域３２０a、３２０ｂと相似の形状の領域８００との領域にセキュリティ情報ではない文字または数字を記入していく事で、解読するべき文字数が増え、第３者には、より解読が複雑に見える。
【符号の説明】
【０１６６】
１０    セキュリティ情報記載枠図領域
１１    セキュリティ情報記載枠
２０    セキュリティ情報補間文字記載枠図領域
２１    セキュリティ情報補間文字記載枠
３０    ヒント記載領域
３０a    ヒント記載領域
３０b    ヒント記載領域
１００  セキュリティ情報管理図
１１０  セキュリティ情報記載枠図領域
１１１  セキュリティ情報記載枠
１２０  セキュリティ情報補間文字記載枠図領域
１２１  セキュリティ情報補間文字記載枠
２１０  セキュリティ情報記載枠図領域
２１１  セキュリティ情報記載枠
２１２  セキュリティ情報記載枠
２１３  セキュリティ情報記載枠
２２０  セキュリティ情報補間文字記載枠図領域
２２１  セキュリティ情報補間文字記載枠
２２２  セキュリティ情報補間文字記載枠
２２３  セキュリティ情報補間文字記載枠
３１０  セキュリティ情報記載枠図領域
３１１  セキュリティ情報記載枠
３２０  セキュリティ情報補間文字記載枠図領域
３２１  セキュリティ情報補間文字記載枠
３１０a  セキュリティ情報記載枠図領域
３１１a  セキュリティ情報記載枠
３２０a  セキュリティ情報補間文字記載枠図領域
３２１a  セキュリティ情報補間文字記載枠
３１０b  セキュリティ情報記載枠図領域
３１１b  セキュリティ情報記載枠
３２０b  セキュリティ情報補間文字記載枠図領域
３２１b  セキュリティ情報補間文字記載枠
４１０  セキュリティ情報記載枠図領域
４１１  セキュリティ情報記載枠
４２０  第１セキュリティ情報補間文字記載枠図領域
４２１  第１セキュリティ情報補間文字記載枠
４３０  第２セキュリティ情報補間文字記載枠図領域
４３１  第２セキュリティ情報補間文字記載枠
５１０  セキュリティ情報記載枠図領域
５１１  セキュリティ情報記載枠
５２０  第１セキュリティ情報補間文字記載枠図領域
５２１  第１セキュリティ情報補間文字記載枠
５３０  第２セキュリティ情報補間文字記載枠図領域
５３１  第２セキュリティ情報補間文字記載枠
６１０  セキュリティ情報記載枠図領域
６１１  セキュリティ情報記載枠
６２０  セキュリティ情報補間文字記載枠図領域
６２１  セキュリティ情報補間文字記載枠
【図１】
2017194816.tif 000003
【図２】
2017194816.tif 000004
【図３】
2017194816.tif 000005
【図４】
2017194816.tif 000006
【図５】
2017194816.tif 000007
【図６】
2017194816.tif 000008
【図７】
2017194816.tif 000009
【図８】
2017194816.tif 000010
【図９】
2017194816.tif 000011
【図１０】
2017194816.tif 000012